(57)【要約】本発明は、カメラから入力される映像信号と、それぞれの映像信号に対応するセンサー信号に対して、センサー装置及び中央制御装置に同期用時計がそれぞれ内蔵されており、同期化装置でそれぞれの装置に同期信号を伝送して同期用時計を同期化させた後、センサー装置で獲得したセンサー信号に取得時間を付加して、中央制御装置を経由してコンピューター装置に伝送し、中央制御装置がカメラからコンピューター装置に伝送される映像信号の取得数に取得時間を付加してコンピューター装置に伝送することで、コンピューター装置が取得時間情報に基づいて映像信号とセンサー信号の同期化を行うことができる映像信号とセンサー信号の同期化システム及び方法に関する。本発明による映像信号とセンサー信号の同期化システムは、 被写体を撮影して映像信号を獲得し、前記獲得した映像信号を出力するカメラ装置と、第１同期用時計が内蔵されており、前記映像信号に対応したセンサー信号をセンシング動作によって生成し、前記生成されたセンサー信号に前記第１同期用時計による取得時間情報を付加して出力するセンサー装置と、第２同期用時計が内蔵されており、前記センサー装置から前記取得時間情報の付加されたセンサー信号を受信してコンピューター装置に伝送するように制御し、前記カメラ装置からコンピューター装置に伝送される映像信号に対する取得数を継続的に累積して計算し、前記取得数に前記第２同期用時計による取得時間情報を付加してコンピューター装置に伝送または保存した後、分析の際に活用して同期化を検証する中央制御装置と、基準時計を内蔵し、前記第１同期用時計と前記第２同期用時計の同期のための基準時間を所定の間隔で前記センサー装置及び前記中央制御装置に同時に伝送する同期化装置と、前記中央制御装置から前記取得時間情報の付加されたセンサー信号を受信し、前記カメラ装置から映像信号を受信してそれぞれの信号の時間情報を確認し、それぞれの信号を同じ時間帯に再構成して前記映像信号と前記センサー信号を同期化するコンピューター装置と、を備える。本発明によれば、周辺環境によって収集された映像信号及びセンサー信号の同期性を確保することができる。また、多チャンネルであり、高速である映像信号とそれに対応したセンサー信号の同期化を通じてユーザーに向上したサービスを提供することができる。さらに、映像信号及びセンサー信号を獲得して有線または無線で伝送する通信手段に関係なく、両信号の同期化を容易に具現することができ、それにより、映像信号とセンサー信号を正確かつ便利に分析することができる。【選択図】図１
2013513283.tif 000002
【特許請求の範囲】
【請求項１】
被写体を撮影して映像信号を獲得し、前記獲得した映像信号を出力するカメラ装置と、
第１同期用時計が内蔵されており、前記映像信号に対応したセンサー信号をセンシング動作によって生成し、前記生成されたセンサー信号に前記第１同期用時計による取得時間情報を付加して出力するセンサー装置と、
第２同期用時計が内蔵されており、前記センサー装置から前記取得時間情報の付加されたセンサー信号を受信してコンピューター装置に伝送するように制御し、前記カメラ装置からコンピューター装置に伝送される映像信号に対する取得数を継続的に累積して計算し、前記取得数に前記第２同期用時計による取得時間情報を付加してコンピューター装置に伝送または保存した後、分析の際に活用して同期化を検証する中央制御装置と、
基準時計を内蔵し、前記第１同期用時計と前記第２同期用時計の同期のための基準時間を所定の間隔で前記センサー装置及び前記中央制御装置に同時に伝送する同期化装置と、
前記中央制御装置から前記取得時間情報の付加されたセンサー信号を受信し、前記カメラ装置から映像信号を受信してそれぞれの信号の時間情報を確認し、それぞれの信号を同じ時間帯に再構成して前記映像信号と前記センサー信号を同期化するコンピューター装置と、を備える映像信号とセンサー信号の同期化システム。
【請求項２】
前記センサー装置は、前記同期化装置から受信した基準時間に基づいて前記第１同期用時計を同期化した後、前記センシング動作によって生成された前記センサー信号に前記第１同期用時計による取得時間情報を付加して前記中央制御装置に伝送することを特徴とする請求項１に記載の映像信号とセンサー信号の同期化システム。
【請求項３】
前記センサー装置は、前記同期化装置から受信した前記基準時間を前記第２同期用時計の時間と比較して誤差だけ補正し、補正された時間に基づいて前記センサー信号に取得時間情報を付加して前記中央制御装置に伝送することを特徴とする請求項２に記載の映像信号とセンサー信号の同期化システム。
【請求項４】
前記センサー装置は、前記同期化装置から受信した前記基準時間を前記第１同期用時計の時間と比較して時間誤差を獲得し、前記獲得した時間誤差をそれぞれ前記コンピューター装置に伝送し、前記コンピューター装置は、前記センサー装置から受信した前記センサー信号に対して前記時間誤差だけ時間軸で補正することを特徴とする請求項１に記載の映像信号とセンサー信号の同期化システム。
【請求項５】
前記同期化装置は、前記センサー装置に現在時間情報を要請して獲得し、前記獲得した現在時間情報を前記基準時間情報と比較して誤差範囲を確認し、校正が必要な場合は、校正時間情報及び時間校正命令を前記センサー装置に伝送することを特徴とする請求項１に記載の映像信号とセンサー信号の同期化システム。
【請求項６】
前記センサー装置は、前記時間校正命令を受信すれば、前記校正時間情報に基づいて校正を行い、第二のクロックで前記同期化装置から受信したクロックで同期化を行い、校正完了命令を前記同期化装置に伝送することを特徴とする請求項５に記載の映像信号とセンサー信号の同期化システム。
【請求項７】
センサー装置、中央制御装置及びコンピューター装置と通信するための通信部と、
前記センサー装置、中央制御装置及びコンピューター装置に同期化のための基準時間情報を伝送するために周波数信号を生成する周波数生成部と、
前記生成された周波数信号をクロック信号として生成する同期化クロック部と、
前記生成されたクロック信号を前記基準時間情報として生成する基準時間モジュール部と、
前記基準時間モジュール部にリアルタイムクロックを提供するリアルタイムクロック部と、
前記周波数生成部、前記同期化クロック部及び前記基準時間モジュール部を制御して前記基準時間情報を生成し、前記生成された基準時間情報が前記センサー装置、中央制御装置及びコンピューター装置に伝送されるように制御する制御部と、を備え
前記制御部は、前記センサー装置に現在時間情報を要請して獲得し、前記獲得した現在時間情報を前記基準時間情報と比較して誤差範囲を確認し、校正が必要な場合は、 校正時間情報及び時間校正命令を前記センサー装置に伝送することを特徴とする同期化装置。
【請求項８】
前記センサー装置、中央制御装置及びコンピューター装置から入力されたアナログ信号をデジタル信号に変換するＡ／Ｄ変換部と、
前記デジタル信号を出力するための出力部と、
前記基準時間情報の生成動作、前記現在時間情報及び前記時間校正命令に関する伝送動作などを表示するためのディスプレイ部と、をさらに備えることを特徴とする請求項７に記載の同期化装置。
【請求項９】
勾配、張力、重量などをセンシングしたセンサー信号を生成するセンサーと、
アナログ型の前記センサー信号をデジタル型のセンサーデータに変換する信号変換部と、
前記センサーデータを同期化装置及び中央制御装置に伝送するための通信部と、
前記同期化装置から提供された基準時間で同期化するための同期用時計部と、
前記センサーデータを保存するためのメモリ部と、
前記センサーデータが前記中央制御装置に伝送されるように制御し、前記同期化装置から前記基準時間を受信して同期化した後、前記センサーデータを取得した取得時間情報を前記センサーデータとともに前記中央制御装置に伝送する制御部と、
周波数信号を生成して前記制御部に提供する周波数生成部と、
前記制御部にリアルタイムクロックを提供するリアルタイム（ＲＴＣ）モジュール部と、
を備えるセンサー装置。
【請求項１０】
カメラ装置、センサー装置、中央制御装置、同期化装置及びコンピューター装置を備えるシステムの映像信号とセンサー信号の同期化方法であって、
（ａ）前記同期化装置が同期化時間情報を前記センサー装置及び前記中央制御装置に伝送するステップと、
（ｂ）前記センサー装置及び前記中央制御装置が前記同期化時間情報に基づいてそれぞれに内蔵された同期用時計を同期させるステップと、
（ｃ）前記カメラ装置が映像信号を獲得して前記コンピューター装置に伝送するステップと、
（ｄ）前記センサー装置がセンサー信号を獲得して、前記内蔵された同期用時計による取得時間情報を付加して前記中央制御装置に伝送し、前記中央制御装置が前記取得時間情報の付加されたセンサー信号を前記コンピューター装置に伝送するステップと、
（ｅ）前記コンピューター装置が前記内蔵された同期用時計及び前記取得時間情報に基づいて前記映像信号と前記センサー信号の同期化を行うステップと、を含む映像信号とセンサー信号の同期化方法。
【請求項１１】
前記ステップ（ｅ）は、前記コンピューター装置が前記内蔵された同期用時計の時間情報と前記取得時間情報とを比較して時間誤差を計算し、前記映像信号と前記センサー信号に対して時間軸で時間誤差だけ補正して前記映像信号と前記センサー信号を同期化することを特徴とする請求項１０に記載の映像信号とセンサー信号の同期化方法。
【請求項１２】
センサー装置、中央制御装置及びコンピューター装置を備える特定の装置と有線または無線で通信する同期化装置の映像信号とセンサー信号を同期化する方法であって、
（ａ）前記特定の装置に現在時間情報を要請して現在時間情報を受信するステップと、
（ｂ）前記現在時間情報を基準時間情報と比較して誤差情報を獲得するステップと、
（ｃ）前記誤差情報を補正する時間情報を生成し、前記特定の装置に前記時間情報及び時間校正命令を伝送するステップと、
（ｄ）前記特定の装置から前記時間情報による時間校正で同期化が完了したことを知らせる同期完了命令を受信するステップと、を含む同期化装置の映像信号とセンサー信号を同期化する方法。
【請求項１３】
カメラ装置、センサー装置、中央制御装置及び同期化装置と有線または無線で通信するコンピューター装置の映像信号とセンサー信号を同期化する方法であって、
（ａ）前記同期化装置から基準時間情報を受信して内蔵された同期用時計を同期させるステップと、
（ｂ）前記カメラ装置から映像信号を受信し、前記中央制御装置から前記センサー装置によって獲得した取得時間情報を含むセンサー信号を受信するステップと、
（ｃ）前記内蔵された同期用時計及び前記取得時間情報に基づいて前記映像信号と前記センサー信号を同期化するステップと、を含むコンピューター装置の映像信号とセンサー信号を同期化する方法。
【請求項１４】
前記ステップ（ｃ）は、前記内蔵された同期用時計の時間情報と前記取得時間情報とを比較して時間誤差を計算し、前記映像信号と前記センサー信号に対して時間軸で前記時間誤差だけ補正して前記映像信号と前記センサー信号を同期化することを特徴とする請求項１３に記載のコンピューター装置の映像信号とセンサー信号を同期化する方法。
【請求項１５】
前記ステップ（ｃ）は、前記センサー装置及び前記中央制御装置から受信した時間誤差情報に基づいて、前記映像信号と前記センサー信号に対して時間軸で前記時間誤差情報だけ補正して前記映像信号と前記センサー信号を同期化することを特徴とする請求項１３に記載のコンピューター装置の映像信号とセンサー信号を同期化する方法。
【発明の詳細な説明】
【技術分野】
【０００１】
本発明は、有無線環境で多チャンネル映像信号とセンサー信号の分析の際に、映像信号とセンサー信号を同期化するシステム及び方法に係り、さらに詳細には、カメラから入力される映像信号と、それぞれの映像信号に対応するセンサー信号に対して、センサー装置及び中央制御装置に同期用時計がそれぞれ内蔵されており、同期化装置がそれぞれの装置に同期信号を伝送して同期用時計を同期化させた後、センサー装置で獲得したセンサー信号に取得時間を付加して、中央制御装置を経由してコンピューター装置に伝送し、中央制御装置がカメラからコンピューター装置に伝送される映像信号の取得数に取得時間を付加してコンピューター装置に伝送することで、コンピューター装置が取得時間情報に基づいて映像信号とセンサー信号の同期化を行うことができる映像信号とセンサー信号の同期化システム及び方法に関する。
【背景技術】
【０００２】
最近、被写体を撮影して映像信号を獲得するカメラを、ユーザーが携帯する携帯電話やノート・パソコンに採用して使用している。また、カメラによって獲得した映像信号を、例えば、洋弓分析器のようなゲーム機などに活用する装置が登場している。
【０００３】
ゲーム装置などには、周辺の状況をセンシングする、例えば、風向きや風速をセンシングするか、または張力、勾配、温度、圧力などをセンシングするセンサーが備えられている。
【０００４】
ところが、カメラから獲得した映像信号とセンサーを通じてセンシングしたセンサー信号とをマッチしてユーザーに提供すべき場合に、サービスの品質のためには両信号の同期化が非常に重要である。
【０００５】
しかし、最小２チャンネル以上の多チャンネルであり、高速であり、さらに無線通信で映像信号やセンサー信号を伝送すべき場合に、周辺環境によって収集された個別信号の同期性を確保することが非常に難しいという問題点がある。
【発明の概要】
【発明が解決しようとする課題】
【０００６】
前述の問題点を解決するための本発明の目的は、カメラから入力される映像信号と、それぞれの映像信号に対応するセンサー信号に対して、センサー装置及び中央制御装置に同期用時計がそれぞれ内蔵されており、同期化装置でそれぞれの装置に同期信号を伝送して同期用時計を同期化させた後、センサー装置で獲得したセンサー信号に取得時間を付加して、中央制御装置を経由してコンピューター装置に伝送し、中央制御装置がカメラからコンピューター装置に伝送される映像信号の取得数に取得時間を付加してコンピューター装置に伝送することで、コンピューター装置が取得時間情報に基づいて映像信号とセンサー信号の同期化を行うことができる映像信号とセンサー信号の同期化システム及び方法、同期化装置及びその映像信号とセンサー信号の同期化方法、及びコンピューター装置及びその映像信号とセンサー信号の同期化方法を提供するところにある。
【課題を解決するための手段】
【０００７】
前述の目的を達成するための本発明による映像信号とセンサー信号の同期化システムは、被写体を撮影して映像信号を獲得し、前記獲得した映像信号を出力するカメラ装置と、第１同期用時計が内蔵されており、前記映像信号に対応したセンサー信号をセンシング動作によって生成し、前記生成されたセンサー信号に前記第１同期用時計による取得時間情報を付加して出力するセンサー装置と、第２同期用時計が内蔵されており、前記センサー装置から前記取得時間情報の付加されたセンサー信号を受信してコンピューター装置に伝送するように制御し、前記カメラ装置からコンピューター装置に伝送される映像信号に対する取得数を継続的に累積して計算し、前記取得数に前記第２同期用時計による取得時間情報を付加してコンピューター装置に伝送または保存した後、分析の際に活用して同期化を検証する中央制御装置と、基準時計を内蔵し、前記第１同期用時計と前記第２同期用時計の同期のための基準時間を所定の間隔で前記センサー装置及び前記中央制御装置に同時に伝送する同期化装置と、前記中央制御装置から前記取得時間情報の付加されたセンサー信号を受信し、前記カメラ装置から映像信号を受信してそれぞれの信号の時間情報を確認し、それぞれの信号を同じ時間帯に再構成して前記映像信号と前記センサー信号を同期化するコンピューター装置と、を備える。
【０００８】
また、前記センサー装置は、前記同期化装置から受信した基準時間に基づいて前記第１同期用時計を同期化した後、前記センシング動作によって生成された前記センサー信号に前記第１同期用時計による取得時間情報を付加して前記中央制御装置に伝送する。
【０００９】
また、前記センサー装置は、前記同期化装置から受信した前記基準時間を前記第２同期用時計の時間と比較して誤差だけ補正し、補正された時間に基づいて前記センサー信号に取得時間情報を付加して前記中央制御装置に伝送する。
【００１０】
また、前記センサー装置は、前記同期化装置から受信した前記基準時間を前記第１同期用時計の時間と比較して時間誤差を獲得し、前記獲得した時間誤差をそれぞれ前記コンピューター装置に伝送し、前記コンピューター装置は、前記センサー装置から受信した前記センサー信号に対して前記時間誤差だけ時間軸で補正する。
【００１１】
また、前記同期化装置は、前記センサー装置に現在時間情報を要請して獲得し、前記獲得した現在時間情報を前記基準時間情報と比較して誤差範囲を確認し、校正が必要な場合は、校正時間情報及び時間校正命令を前記センサー装置に伝送する。
【００１２】
そして、前記センサー装置は、前記時間校正命令を受信すれば、前記校正時間情報に基づいて校正を行い、第二のクロックで前記同期化装置から受信したクロックで同期化を行い、校正完了命令を前記同期化装置に伝送する。
【００１３】
一方、前述の目的を達成するための本発明による同期化装置は、センサー装置、中央制御装置及びコンピューター装置と通信するための通信部と、前記センサー装置、中央制御装置及びコンピューター装置に同期化のための基準時間情報を伝送するために周波数信号を生成する周波数生成部（Ｏｓｃｉｌｌａｔｏｒ）と、前記生成された周波数信号をクロック信号として生成する同期化クロック部と、前記生成されたクロック信号を前記基準時間情報として生成する基準時間モジュール部（Ｆｉｅｌｄ  Ｐｒｏｇｒａｍｍａｂｌｅ  Ｇａｔｅ  Ａｒｒａｙ：ＦＰＧＡ）と、前記基準時間モジュール部にリアルタイムクロック（Ｒｅａｌ  Ｔｉｍｅ  Ｃｌｏｃｋ：ＲＴＣ）を提供するリアルタイムクロック部と、前記周波数生成部、前記同期化クロック部及び前記基準時間モジュール部を制御して前記基準時間情報を生成し、前記生成された基準時間情報が前記センサー装置、中央制御装置及びコンピューター装置に伝送されるように制御する制御部と、を備える。
【００１４】
また、前記制御部は、前記センサー装置に現在時間情報を要請して獲得し、前記獲得した現在時間情報を前記基準時間情報と比較して誤差範囲を確認し、校正が必要な場合は、現在時間情報及び時間校正命令を前記センサー装置に伝送する。
【００１５】
そして、前記センサー装置、中央制御装置及びコンピューター装置から入力されたアナログ信号をデジタル信号に変換するＡ／Ｄ変換部（Ａｎａｌｏｇ  ｔｏ  Ｄｉｇｉｔａｌ  Ｃｏｎｖｅｒｔｅｒ）と、前記デジタル信号を出力するための出力部と、前記基準時間情報の生成動作、前記現在時間情報及び前記時間校正命令に関する伝送動作などを表示するためのディスプレイ部と、をさらに備える。
【００１６】
一方、前述の目的を達成するための本発明によるセンサー装置は、勾配、張力、重量などをセンシングしたセンサー信号を生成するセンサーと、アナログ型の前記センサー信号をデジタル型のセンサーデータに変換する信号変換部と、前記センサーデータを同期化装置及び中央制御装置に伝送するための通信部と、前記同期化装置から提供された基準時間で同期化するための同期用時計部と、前記センサーデータを保存するためのメモリ部と、前記センサーデータが前記中央制御装置に伝送されるように制御し、前記同期化装置から前記基準時間を受信して同期化した後、前記センサーデータを取得した取得時間情報を前記センサーデータとともに前記中央制御装置に伝送する制御部と、周波数信号を生成して前記制御部に提供する周波数生成部と、前記制御部にリアルタイムクロックを提供するリアルタイムクロック部と、を備える。
【００１７】
一方、前述の目的を達成するための本発明による映像信号とセンサー信号の同期化方法は、カメラ装置、センサー装置、中央制御装置、同期化装置及びコンピューター装置を備えるシステムの映像信号とセンサー信号の同期化方法であって、（ａ）前記同期化装置が同期化時間情報を前記センサー装置及び前記中央制御装置に伝送するステップと、（ｂ）前記センサー装置及び前記中央制御装置が前記同期化時間情報に基づいてそれぞれに内蔵された同期用時計を同期させるステップと、（ｃ）前記カメラ装置が映像信号を獲得して前記コンピューター装置に伝送するステップと、（ｄ）前記センサー装置がセンサー信号を獲得して、前記内蔵された同期用時計による取得時間情報を付加して前記中央制御装置に伝送し、前記中央制御装置が前記取得時間情報の付加された映像信号を前記コンピューター装置に伝送するステップと、（ｅ）前記コンピューター装置が前記内蔵された同期用時計及び前記取得時間情報に基づいて前記映像信号と前記センサー信号の同期化を行うステップと、を含む。
【００１８】
そして、前記ステップ（ｅ）は、前記コンピューター装置が前記内蔵された同期用時計の時間情報と前記取得時間情報とを比較して時間誤差を計算し、前記映像信号と前記センサー信号に対して時間軸で時間誤差だけ補正して前記映像信号と前記センサー信号を同期化する。
【００１９】
一方、前述の目的を達成するための本発明による同期化装置の映像信号とセンサー信号を同期化する方法は、センサー装置、中央制御装置及びコンピューター装置を備える特定の装置と有線または無線で通信する同期化装置の映像信号とセンサー信号を同期化する方法であって、（ａ）前記特定の装置に現在時間情報を要請して現在時間情報を受信するステップと、（ｂ）前記現在時間情報を基準時間情報と比較して誤差情報を獲得するステップと、（ｃ）前記誤差情報を補正する時間情報を生成し、前記特定の装置に前記時間情報及び時間校正命令を伝送するステップと、（ｄ）前記特定の装置から前記時間情報による時間校正で同期化が完了したことを知らせる同期完了命令を受信するステップと、を含む。
【００２０】
一方、前述の目的を達成するための本発明によるコンピューター装置の映像信号とセンサー信号を同期化する方法は、カメラ装置、センサー装置、中央制御装置及び同期化装置と有線または無線で通信するコンピューター装置の映像信号とセンサー信号を同期化する方法であって、（ａ）前記同期化装置から基準時間情報を受信して内蔵された同期用時計を同期させるステップと、（ｂ）前記カメラ装置から映像信号を受信し、前記中央制御装置から前記センサー装置によって獲得した取得時間情報を含むセンサー信号を受信するステップと、（ｃ）前記内蔵された同期用時計及び前記取得時間情報に基づいて前記映像信号と前記センサー信号を同期化するステップと、を含む。
【００２１】
また、前記ステップ（ｃ）は、前記内蔵された同期用時計の時間情報と前記取得時間情報とを比較して時間誤差を計算し、前記映像信号と前記センサー信号に対して時間軸で前記時間誤差だけ補正して前記映像信号と前記センサー信号を同期化する。
【００２２】
そして、前記ステップ（ｃ）は、前記センサー装置及び前記中央制御装置から受信した時間誤差情報に基づいて、前記映像信号と前記センサー信号に対して時間軸で前記時間誤差情報だけ補正して前記映像信号と前記センサー信号を同期化する。
【発明の効果】
【００２３】
本発明によれば、周辺環境によって収集された映像信号及びセンサー信号の同期性を確保することができる。
【００２４】
また、多チャンネルであり、高速である映像信号とそれに対応したセンサー信号の同期化を通じてユーザーに向上したサービスを提供することができる。
【００２５】
さらに、映像信号及びセンサー信号を獲得して有線または無線で伝送する通信手段に関係なく、両信号の同期化を容易に具現することができ、それにより、映像信号とセンサー信号を正確かつ便利に分析することができる。
【図面の簡単な説明】
【００２６】
【図１】本発明の実施形態による映像信号とセンサー信号の同期化システムの構成を概略的に示す構成図であり、
【図２】本発明の実施形態による同期化装置の内部構成を概略的に示す構成図であり、
【図３】本発明の実施形態によるセンサー装置の内部構成を概略的に示す構成図であり、
【図４】本発明の実施形態による映像信号とセンサー信号の同期化方法を説明するための全体フローチャートであり、
【図５】本発明の実施形態による同期化装置の映像信号とセンサー信号を同期化する方法を説明するための動作フローチャートであり、
【図６】本発明の実施形態による同期化過程及びタイミング図を示し、
【図７】本発明の実施形態によるコンピューター装置の映像信号とセンサー信号を同期化する方法を説明するための動作フローチャートである。
【発明を実施するための形態】
【００２７】
本発明の目的、技術的構成及びそれによる作用効果に関する詳細な事項は、本発明の明細書に添付された図面に基づく、以下の詳細な説明によってさらに明確に理解できるであろう。以下、添付図面を参照して本発明による実施形態を詳細に説明する。
【００２８】
図１は、本発明の実施形態による映像信号とセンサー信号の同期化システムの構成を概略的に示す構成図である。
【００２９】
図１に示すように、本発明による映像信号とセンサー信号の同期化システム１００は、カメラ装置１１０、同期化装置１２０、複数のセンサー装置１３０ないし１３４、中央制御装置１４０及びコンピューター装置１５０を備える。
【００３０】
カメラ装置１１０は、被写体を撮影して映像信号を獲得し、獲得した映像信号をコンピューター装置１５０に出力及び伝送する。
【００３１】
同期化装置１２０は、基準時計を内蔵し、センサー装置１３０ないし１３４及び中央制御装置１４０の同期のための基準時間を所定の間隔でセンサー装置１３０ないし１３４及び中央制御装置１４０に同時に伝送する。
【００３２】
複数のセンサー装置１３０ないし１３４は、第１同期用時計を内蔵しており、映像信号に対応したセンサー信号をセンシング動作によって生成し、生成されたセンサー信号に第１同期用時計による取得時間情報を付加して中央制御装置１４０に出力及び伝送する。
【００３３】
ここで、複数のセンサー装置１３０ないし１３４は、例えば、矢の勾配や張力などをセンシングする洋弓分析器、ユーザーの足動作を前後左右にセンシングする足動作分析器（Ｘ−ｂａｌａｎｃｅ）、周辺の風向きや風速をセンシングする気候分析器などであってもよい。このとき、洋弓分析器の場合、張力や勾配などがセンサー信号になり、足動作分析器の場合、前、後、左、右などがセンサー信号になり、気候分析器の場合、風向きや風速などがセンサー信号になり得る。その他、センサーのセンシング特性によって温度、圧力などをセンサー信号とすることができる。
【００３４】
中央制御装置１４０は、第２同期用時計を内蔵しており、センサー装置１３０ないし１３４から取得時間情報の付加されたセンサー信号を受信してコンピューター装置１５０に伝送するように制御する。
【００３５】
また、中央制御装置１４０は、カメラ装置１１０からコンピューター装置１５０に伝送される映像信号に対する取得数を継続的に累積して計算し、取得数を第２同期用時計による時間情報とともに保存した後、分析の際に活用して同期化を検証する。
【００３６】
コンピューター装置１５０は、中央制御装置１４０から取得時間情報の付加されたセンサー信号を受信し、カメラ装置１１０から映像信号を受信してそれぞれの信号の時間情報を確認し、それぞれの信号を同じ時間帯に再構成して映像信号とセンサー信号を同期化する。ここで、コンピューター装置は、デスクトップ（Ｄｅｓｋｔｏｐ）型のＰＣであってもよく、移動可能なノート・パソコン型のＰＣであってもよい。
【００３７】
また、センサー装置１３０ないし１３４は、同期化装置１２０から受信した基準時間に基づいて第１同期用時計を同期化した後、センシング動作によって生成されたセンサー信号に第１同期用時計による取得時間情報を付加して中央制御装置１４０に伝送する。
【００３８】
また、センサー装置１３０ないし１３４は、同期化装置１２０から受信した基準時間を第１同期用時計の時間と比較して誤差だけ補正し、補正された時間に基づいてセンサー信号に取得時間情報を付加して中央制御装置１４０に伝送する。
【００３９】
また、センサー装置１３０ないし１３４は、同期化装置１２０から受信した基準時間を第１同期用時計の時間と比較して時間誤差を獲得し、獲得した時間誤差をコンピューター装置１５０にそれぞれ伝送し、コンピューター装置１５０は、センサー装置１３０ないし１３４から受信したセンサー信号に対して時間誤差だけ時間軸で補正する。
【００４０】
また、同期化装置１２０は、センサー装置１３０ないし１３４に現在時間情報を要請して獲得し、獲得した現在時間情報を基準時間情報と比較して誤差範囲を確認し、校正が必要な場合は、校正時間情報及び時間校正命令をセンサー装置１３０ないし１３４に伝送する。
【００４１】
そして、センサー装置１３０ないし１３４が時間校正命令を受信すれば、受信した校正時間情報に基づいて校正を行い、第二のクロックで同期化装置１２０から受信したクロックで同期化を行い、同期（校正）完了命令を同期化装置１２０に伝送する。
【００４２】
図２は、本発明の実施形態による同期化装置の内部構成を概略的に示す構成図である。
【００４３】
図２に示すように、本発明による同期化装置１２０は、通信部２１０、周波数生成部２２０、同期化クロック部２３０、基準時間モジュール部２４０、リアルタイムクロック部２５０、制御部２６０、Ａ／Ｄ変換部２７０、出力部２８０及びディスプレイ部２９０を備える。
【００４４】
通信部２１０は、センサー装置１３０ないし１３４、中央制御装置１４０及びコンピューター装置１５０と通信する。
【００４５】
周波数生成部２２０は、センサー装置１３０ないし１３４、中央制御装置１４０及びコンピューター装置１５０に同期化のための基準時間情報を伝送するために周波数信号を生成する。
【００４６】
同期化クロック部２３０は、周波数生成部２２０によって生成された周波数信号をクロック信号として生成する。
【００４７】
基準時間モジュール部２４０は、生成されたクロック信号を基準時間情報として生成する。
【００４８】
リアルタイムクロック部２５０は、基準時間モジュール部２４０にリアルタイムクロックを提供する。
【００４９】
制御部２６０は、周波数生成部２２０、同期化クロック部２３０及び基準時間モジュール部２４０を制御して基準時間情報を生成し、生成された基準時間情報がセンサー装置１３０ないし１３４、中央制御装置１４０及びコンピューター装置１５０に伝送されるように制御する。
【００５０】
また、制御部２６０は、センサー装置１３０ないし１３４に現在時間情報を要請して獲得し、獲得した現在時間情報を基準時間情報と比較して誤差範囲を確認し、校正が必要な場合は、校正時間情報及び時間校正命令をセンサー装置１３０ないし１３４に伝送する。
【００５１】
Ａ／Ｄ変換部２７０は、センサー装置１３０ないし１３４、中央制御装置１４０及びコンピューター装置１５０から入力されたアナログ信号をデジタル信号に変換する。
【００５２】
出力部２８０は、デジタル信号をポートを介して外部に出力する。
【００５３】
ディスプレイ部２９０は、基準時間情報の生成動作、現在時間情報及び時間校正命令に関する伝送動作などを表示する。
【００５４】
図３は、本発明の実施形態によるセンサー装置の内部構成を概略的に示す構成図である。
【００５５】
図３に示すように、本発明によるセンサー装置１３０は、通信部３１０、センサー３２０、信号変換部３３０、同期用時計部３４０、メモリ部３５０、制御部３６０、周波数生成部３７０及びリアルタイムクロック部３８０を備える。
【００５６】
通信部３１０は、センサーデータを同期化装置１２０及び中央制御装置１４０に伝送する。
【００５７】
センサー３２０は、勾配、張力、重量などをセンシングしたセンサー信号を生成する。
【００５８】
信号変換部３３０は、アナログ型のセンサー信号をデジタル型のセンサーデータに変換する。
【００５９】
同期用時計部３４０は、同期化装置１２０から提供された基準時間で同期化する。
【００６０】
メモリ部３５０はセンサーデータを保存する。
【００６１】
制御部３６０は、センサーデータが中央制御装置１４０に伝送されるように制御し、同期化装置１２０から基準時間を受信して同期化した後、センサーデータを取得した取得時間情報をセンサーデータとともに中央制御装置１４０に伝送するように制御する。
【００６２】
周波数生成部３７０は、周波数信号を生成して制御部４６０に提供する。
【００６３】
リアルタイムクロック部３８０は、制御部４６０にリアルタイムクロックを提供する。
【００６４】
図４は、本発明の実施形態による映像信号とセンサー信号の同期化方法を説明するための全体フローチャートである。
【００６５】
図４に示すように、まず、同期化装置１２０は、同期化時間情報をセンサー装置１３０ないし１３４及び中央制御装置１４０に伝送する（Ｓ４１０）。
【００６６】
したがって、センサー装置１３０ないし１３４及び中央制御装置１４０が同期化時間情報に基づいてそれぞれに内蔵された同期用時計を同期させる（Ｓ４２０）。
【００６７】
次いで、カメラ装置１１０が被写体を撮影して獲得した映像信号をコンピューター装置１５０に伝送する（Ｓ４３０）。
【００６８】
このとき、中央制御装置１４０は、カメラ装置１１０からコンピューター装置１５０に伝送される映像信号に対する取得数を継続的に累積して計算し、計算された取得数を第２同期用時計による時間情報とともに保存した後、分析の際に活用して同期化を検証する。
【００６９】
また、センサー装置１３０ないし１３４は、センサー３２０を通じてセンサー信号を獲得し、取得時間情報を付加して中央制御装置１４０に伝送し、中央制御装置１４０は、取得時間情報の付加されたセンサー信号をコンピューター装置１５０に伝送する（Ｓ４４０）。
【００７０】
ここで、映像信号は一般的に大容量であるため、中央制御装置１４０を経由せずに、取得時間情報が付加されたままの状態で直ぐにコンピューター装置１５０に伝送される。
【００７１】
したがって、コンピューター装置１５０は、第２同期用時計の時間情報及び取得時間情報に基づいて映像信号とセンサー信号の同期化を行う（Ｓ４５０）。
【００７２】
このとき、コンピューター装置１５０は、中央制御装置１４０及びセンサー装置１３０ないし１３４から受信した誤差時間情報に基づいてそれぞれの信号の誤差時間を補正した後、映像信号とセンサー信号を同期化する。
【００７３】
また、コンピューター装置１５０は、センサー信号に付加された取得時間情報を第２同期用時計の時間情報と比較して時間誤差を計算し、センサー信号に対して時間軸で時間誤差だけ補正して映像信号とセンサー信号を同期化することができる。
【００７４】
図５は、本発明の実施形態による同期化装置の映像信号とセンサー信号を同期化する方法を説明するための動作フローチャートである。
【００７５】
図５に示すように、本発明による同期化装置１２０は、システムが初期化された状態で基準時間モジュール部２４０を介して基準時間情報を獲得する（Ｓ５０２）。
【００７６】
次いで、同期化装置１２０は、センサー装置１３０ないし１３４及び中央制御装置１４０などを備える特定の装置に、図６に示すように、現在時間情報を要請して現在時間情報を受信する（Ｓ５０４）。図６は、本発明の実施形態による同期化過程及びタイミング図を示す。図６で、△Ｔ１は校正以前の同期化装置１２０とセンサー装置１３０ないし１３４間の誤差時間を示し、△ｔ１はシリアル通信による時間情報伝送遅延時間を示し、△ｔ２はセンサー装置１３０ないし１３４で現在時間情報を送信した時間を示し、△ｔ３は同期化装置１２０で誤差時間を確認し、設定時間及び命令伝達遅延時間を示し、△ｔ４は同期化装置１２０から時間情報を受信して校正を待機する時間を示す。
【００７７】
次いで、同期化装置１２０は、受信した現在時間情報を基準時間情報と比較して誤差情報を獲得する（Ｓ５０６）。
【００７８】
次いで、同期化装置１２０は、誤差情報を補正する校正時間情報を生成する（Ｓ５０８）。
【００７９】
次いで、同期化装置１２０は、生成した校正時間情報と時間校正命令を、センサー装置１３０ないし１３４及び中央制御装置１４０などを備える特定の装置に伝送する（Ｓ５１０）。
【００８０】
したがって、センサー装置１３０ないし１３４及び中央制御装置１４０などを備える特定の装置は、同期化装置１２０から受信した校正時間情報及び時間校正命令に基づいて、内蔵された同期用時計を校正時間情報で校正して同期化し、同期化が完了したことを知らせる同期完了命令を同期化装置１２０に伝送する。
【００８１】
したがって、同期化装置１２０は、センサー装置１３０ないし１３４及び中央制御装置１４０などを備える特定の装置から、校正時間情報による時間校正で同期化が完了したことを知らせる同期完了命令を受信する（Ｓ５１２）。
【００８２】
図７は、本発明の実施形態によるコンピューター装置の映像信号及びセンサー信号を同期化する方法を説明するための動作フローチャートである。
【００８３】
図７に示すように、本発明によるコンピューター装置１５０は、同期化装置１２０から基準時間情報を受信して、コンピューター装置１５０に内蔵された同期用時計を同期させる（Ｓ７１０）。
【００８４】
次いで、コンピューター装置１５０は、カメラ装置１１０から映像信号を受信し、中央制御装置１４０からセンサー装置１３０ないし１３４によって獲得されて、取得時間情報を含むセンサー信号を受信する（Ｓ７２０）。
【００８５】
次いで、コンピューター装置１５０は、内蔵された第２同期用時計の時間情報及び取得時間情報に基づいて映像信号とセンサー信号を同期化する（Ｓ７３０）。
【００８６】
すなわち、コンピューター装置１５０は、第２同期用時計の時間情報とセンサー装置１３０ないし１３４の取得時間情報とを比較して時間誤差を計算し、センサー信号に対して時間軸で時間誤差だけ補正して映像信号とセンサー信号を同期化する（Ｓ７３０）。
【００８７】
一方、コンピューター装置１５０は、カメラ装置１１０及びセンサー装置１３０ないし１３４から映像信号及びセンサー信号を取得する途中にも同期化が駄目になり得るため、取得が終了した後にこれを検証せねばならない。したがって、中央制御装置１４０が、カメラ装置１１０から映像信号獲得時間情報及びセンサー装置１３０ないし１３４のセンサー信号獲得時間誤差を計算した後にコンピューター装置１５０に伝達して、コンピューター装置１５０が受信した時間誤差だけ該当情報を時間軸で補正すれば良い。また、中央制御装置１４０で時間誤差を計算せずに、コンピューター装置１５０が直接時間誤差を算出して、それによって映像信号とセンサー信号を時間誤差だけ補正することも可能であることは言うまでもない。
【００８８】
前述のように、本発明によれば、カメラから入力される映像信号と、それぞれの映像信号に対応するセンサー信号に対して、センサー装置及び中央制御装置に同期用時計がそれぞれ内蔵されており、同期化装置でそれぞれの装置に同期信号を伝送して同期用時計を同期化させた後、センサー装置で獲得したセンサー信号に取得時間を付加して、中央制御装置を経由してコンピューター装置に伝送し、中央制御装置が、カメラからコンピューター装置に伝送される映像信号の取得数に取得時間を付加してコンピューター装置に伝送することで、コンピューター装置が取得時間情報に基づいて映像信号とセンサー信号の同期化を行うことができる映像信号とセンサー信号の同期化システム及び方法、同期化装置及びその映像信号とセンサー信号の同期化方法、及びコンピューター装置及びその映像信号とセンサー信号の同期化方法を実現することができる。
【００８９】
本発明が属する技術分野の当業者は本発明がその技術的思想や必須的な特徴を変更せずに他の具体的な形態で実施されうるということを理解しうる。したがって、以上で記述した実施形態はあらゆる面で例示的なものであり、限定的ではないものと理解せねばならない。本発明の範囲は発明の詳細な説明よりは特許請求の範囲により示され、特許請求の範囲の意味及び範囲、そしてその等価概念から導出されるあらゆる変更または変形された形態が本発明の範囲に含まれると解釈されねばならない。
【産業上の利用可能性】
【００９０】
本発明は、カメラ装置で獲得した映像信号とセンサー装置から獲得したセンサー信号とを同時に画面及び音響として提供するシステム及びサービスに適用することができる。
【００９１】
また、映像信号及びセンサー信号を生成して無線通信及び有線通信で伝送する装置に適用することができる。
【００９２】
さらに、多チャンネル映像信号及びセンサー信号を分析する装置やシステムなどに適用することができる。
【図１】
2013513283.tif 000003
【図２】
2013513283.tif 000004
【図３】
2013513283.tif 000005
【図４】
2013513283.tif 000006
【図５】
2013513283.tif 000007
【図６】
2013513283.tif 000008
【図７】
2013513283.tif 000009
【国際調査報告】
2013513283.tif 000010
2013513283.tif 000011
2013513283.tif 000012
2013513283.tif 000013